(57)【特許請求の範囲】
【請求項１】
複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う真偽判別手段とを有する紙幣計数機であって、
前記真偽判別手段は、判別原理の異なる複数種類の検出器で構成されるとともに、最初に繰出された前記紙幣について該判別原理の異なる複数種類の検出器のそれぞれにおいて出力の有無を検知し、かつ、その検知結果を記憶する判別条件記憶手段と、２枚目以降の紙幣に対する前記判別原理の異なる複数種類の検出器における検知結果と該判別条件記憶手段に記憶されている検知結果とを比較する条件合致比較手段とを備え、比較の結果、前記判別原理の異なる複数種類の検出器における検知結果のうち少なくとも一つが一致しなかった場合に偽造紙幣と判断するように構成されていることを特徴とする紙幣計数機。
【請求項２】
前記判別原理の異なる複数種類の検出器のうち、前記最初に繰出された紙幣について出力がなかった検出器については、該検出器における２枚目以降の紙幣についての出力は、真偽判別の条件から除外することを特徴とする請求項１記載の紙幣計数機。
【請求項３】
前記判別原理の異なる複数種類の検出器が、磁気インク検出、蛍光反応検出、スレッド検出、赤外インク検出のいずれかを含むものであることを特徴とする請求項１又は２記載の紙幣計数機。
【請求項４】
前記検出器による真偽判別の結果、判別条件が不一致であったときに前記搬送手段を停止制御することとした請求項１乃至３のうちいずれか一項に記載の紙幣計数機。
【請求項５】
さらに表示部を有し、前記最初に繰出された紙幣について前記検出器のうち出力があった検出器に係る表示を該表示部に行うように構成されたことを特徴とする請求項１乃至４のうちいずれか一項に記載の紙幣計数機。
【請求項６】
複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う真偽判別手段とを有する紙幣計数機において、
前記真偽判別手段を単一種類の検出器で構成し、最初に繰出された紙幣に対して前記真偽判別手段における出力の有無を検知するとともに、その検知結果を記憶する判別条件記憶手段を備え、２枚目以降の紙幣に対する該検出器における出力の有無と前記判別条件記憶手段に記憶されている最初の紙幣についての出力の有無の情報とを比較する条件合致比較手段とを備え、比較の結果、出力の有無が一致しなかった場合に偽造紙幣と判断するように構成されていることを特徴とする紙幣計数機。
【請求項７】
前記真偽判別手段による真偽判別の結果、条件不一致を検出した際に前記搬送手段を停止制御することとした請求項６に記載の紙幣計数機。
【発明の詳細な説明】
【０００１】
【発明の属する技術分野】
本発明は、紙幣計数機に関するものであって、主として真偽判別手段を複数種備えており、対象紙幣の特性に基づいて、いずれの真偽判別手段によってどのように判断すべきかを操作者が設定操作することなく、真偽判別できるようにした紙幣計数機に関する。
【０００２】
【従来の技術】
紙幣の真偽判別機能を備えた紙幣計数機としては、大別して２種類のものが知られている。
【０００３】
第１のタイプの紙幣計数機は、対象紙幣の金種を特定し、この特定された金種の特徴に基づいて真偽判別を行うものである。
【０００４】
一方、第２のタイプのものは、金種を特定することなく真偽判別を行うものであって、金種に依存しない特徴によって真偽判定を行うようにしたものである。
【０００５】
前記第２のタイプに属するもので、種類の異なる複数の真偽判別手段を併用したものは公知であり、例えば米国特許第４１１４８０４号や、それを優先権主張の基礎とした同一発明に係る我が国への特許出願である特開昭５３−４４０８９号公報に示される紙幣計数機が知られている。
【０００６】
これらの公報には真偽判別手段として、磁気インクの検出手段と蛍光反応の検出手段とが開示されており、被検紙幣について磁気インクが検出され、かつ、蛍光反応が検出されなかった場合に、この被検紙幣が真券と判断されるようになっている。
【０００７】
【発明が解決しようとする課題】
そもそも上記公報のものは、その明細書の中にも述べられているように、専ら米国紙幣を想定したものであり、米国紙幣の特徴に合わせて真偽判別手段を選定し組合せたものである。すなわち、米国紙幣（真券）には磁気インクが使用されており、かつ、蛍光反応は検出されないという性質に基づいた判別方法である。
【０００８】
ところで、世界各国のどの紙幣にも使用可能な真偽判別機能を備えた紙幣計数機が望まれているが、世界の国々においては、各国毎に偽造防止対策として例えば、上記に加えて、赤外線吸収インクの採用、スレッドの織り込み等様々な工夫がなされており、これらの偽造防止対策がなされた紙幣を被検対象とするには、前記のような磁気インクや蛍光反応の検出のみでは不十分であり、赤外線吸収インク検出器やスレッド検出器の採用が当然に必要となる。
【０００９】
これらの偽造防止対策に対応した真偽判別機能を搭載することで、多くの国の紙幣を扱える汎用の紙幣計数機とすることができることになる。ところが、この汎用の紙幣計数機を使いこなすためには、操作者が被検紙幣についての偽造防止対策の内容を予め了知した上で、この偽造防止対策に対応した真偽判別手段の設定操作を行う必要があるため、煩雑な設定操作を強いられ、使い勝手の悪いものとなってしまう。本発明はかかる事情に鑑みなされたものであり、偽造防止対策に対応する真偽判別手段についての、操作者による設定操作を必要としない紙幣計数機の提供を目的としたものである。
【００１０】
【課題を解決するための手段】
本発明は、偽造防止対策に対応する真偽判別手段についての、操作者による設定操作を必要としない紙幣計数機に関し、本発明の上記目的は、複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う真偽判別手段とを有する紙幣計数機であって、前記真偽判別手段は、判別原理の異なる複数種類の検出器で構成されるとともに、最初に繰出された前記紙幣について該判別原理の異なる複数種類の検出器のそれぞれにおいて出力の有無を検知し、かつ、その検知結果を記憶する判別条件記憶手段と、２枚目以降の紙幣に対する前記判別原理の異なる複数種類の検出器における検知結果と該判別条件記憶手段に記憶されている検知結果とを比較する条件合致比較手段とを備え、比較の結果、前記判別原理の異なる複数種類の検出器における検知結果のうち少なくとも一つが一致しなかった場合に偽造紙幣と判断するように構成された紙幣計数機によって達成される。
【００１１】
また、本発明の上記目的は、前記判別原理の異なる複数種類の検出器のうち、前記最初に繰出された紙幣について出力がなかった検出器については、該検出器における２枚目以降の紙幣についての出力は、真偽判別のための情報から除外することにより、或いは、前記判別原理の異なる複数種類の検出器が、磁気インク検出、蛍光反応検出、スレッド検出、赤外インク検出のいずれかを含むもので構成することによって、より効果的に達成される。
【００１２】
さらには、前記検出器による真偽判別の結果、判別条件が不一致であったときに前記搬送手段を停止制御することにより、或いは、表示部を有し、前記最初に繰出された紙幣について前記検出器のうち出力があった検出器に係る表示を該表示部に行うように構成された紙幣計数機によってさらに効果的に達成される。
【００１３】
またさらに、本発明の上記目的は、複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う真偽判別手段とを有する紙幣計数機において、前記真偽判別手段を単一種類の検出器で構成し、最初に繰出された紙幣に対して前記真偽判別手段における出力の有無を検知するとともに、その検知結果を記憶する判別条件記憶手段を備え、２枚目以降の紙幣に対する該検出器における出力の有無と前記判別条件記憶手段に記憶されている最初の紙幣についての出力の有無の情報とを比較する条件合致比較手段とを備え、比較の結果、出力の有無が一致しなかった場合に偽造紙幣と判断するように構成された紙幣計数機によって簡便に達成できる。
【００１４】
さらには、前記真偽判別手段による真偽判別の結果、条件不一致を検出した際に前記搬送手段を停止制御することにより、より効果的に達成できる。
【００１５】
【発明の実施の形態】
以下に、本発明に係る紙幣計数機の実施の形態を、図面を参照して説明する。
【００１６】
図１は本発明に係る紙幣計数機の実施例の外観図であり、紙幣載置部１０は計数しようとする紙幣を載置するところであり、集積部２０は、計数が終わった紙幣を集積するところである。また、操作／表示部３０は、図４に示すように操作ボタンや表示器を有しており、紙幣計数機の検査モードの設定等の操作を行ったり、計数結果を表示させるのに使用される。さらに、羽根車４０は、図示しない搬送手段により送られてきた紙幣を１枚ずつ各々の羽根の間に受け止めて集積部２０に整列集積させる役目を果たすものである。
【００１７】
図２は紙幣計数機の内部構造を示す縦断面図である。同図中、１０は紙幣載置部、２０は集積部、３０は操作／表示部、４０は羽根車をそれぞれ示しており、５０は紙幣載置部１０に載置された紙幣を紙幣計数機内部に送り込むための繰出ローラ、６０は繰出ローラ５０によって送り込まれた紙幣を真偽判別ブロック７０に送り込むための搬送手段としての搬送ローラ、７０は真偽判別のための検出器で構成された真偽判別ブロック、８０は集積部２０に紙幣があるか否かを検出するためのスタッカセンサをそれぞれ示している。
【００１８】
図３は真偽判別のための検出器の配置等を示すものである。図３（ａ）は真偽判別ブロック７０の配置を示す図であり、図２において１点鎖線で囲った部分を拡大し、模式化したものである。また、図３（ｂ）は、図３（ａ）を上方向から見た図であり、各検出器の相対的な位置関係を示した図である。同図中７１は磁気インク検出器としての磁気検出器、７２は紫外線照射光源と受光素子とからなる反射型の蛍光検出器、７３はスレッドの有無を検出するためのスレッド検出器、７４は赤外線照射光源と受光素子とからなる透過型の赤外検出器をそれぞれ示している。又１００は各々の検出器を通過中の紙幣を模式的に表したものである。
【００１９】
図４は前記操作／表示部３０の一例を示す図であり、表示部３１は計数結果を表示する役目を果たすものであり、例えば７セグメントや液晶パネル等により構成される。判別モード選択部３２は、どの真偽判別手段を有効にするかを選択するためのものである。例えば、ＣＦキー３２と（７／ＵＶ）キー３５を押下すると蛍光検出器が有効となり、ＣＦキーの右隣のＵＶ表示ランプが点灯する。AUTO STARTキー３３を押下した状態で、図１の紙幣載置部１０に被検紙幣を載置すると図示しないセンサが紙幣を感知し、自動的に計数が開始される。これはオートスタートモードの場合であり、図１の紙幣載置部１０に被検紙幣が無くなると自動的に計数が停止される。一方、AUTO STARTキー３３を押下していない状態で図１の紙幣載置部１０に被検紙幣を載置しても計数は開始されない。この場合は、計数スタートボタン（RESTARTキー）３４を押下すると紙幣の計数が開始される。これがマニュアルスタートモードである。なお、上の説明では、真偽判別手段の選択を判別モード選択手段３２により行う場合を示したが、電源投入時に自動的にすべての真偽判別手段が選択されるように設定しておき、紙幣によっては不要となる真偽判別手段を、判別モード選択手段３２によって無効とするように構成してもよい。
【００２０】
図５は本発明に係る紙幣計数機の構成を示すブロック図である。同図において判別ブロックは全部で４種類の検出器から構成される。磁気検出器７１として例えば周知の磁気ヘッドが利用できる。蛍光検出器７２は紫外線光源と受光素子とで構成される。スレッド検出器７３として例えばヨーロッパ公開特許ＥＰ４１３５３４Ａ１に開示されるものを利用できる。赤外検出器７４は赤外線光源と受光素子とで構成される。スタッカセンサ８０は集積部２０の紙幣有無検知を行うものであり、紙幣の抜き取りを検知することで判別条件クリアさせ、別の紙幣の真偽判別に備えることにも利用できる。操作／表示部３０は偽造の疑いを発見したときにこの旨（例えば、偽造を意味するCounterfeitの略語ＣＦ）を表示する。判別モード選択手段３２は、どの真偽判別手段を有効にするかを選択するためのものである。判別条件記憶手段１１０は最初に繰出された紙幣についての各検出器毎の出力有無状況を記憶させるためのものである。具体的には、磁気インク検出有り、スレッド検出無し等が記憶される。条件合致比較手段１２０は２枚目以降の紙幣について、判別条件記憶手段１１０に記憶された内容との比較を行い、合致しないときは偽造の疑い有りとして制御部に通知し、通知を受けた制御部はその旨を操作／表示部３０の表示部３１に表示するとともに、搬送手段６０を停止させる。
【００２１】
図６は、対象紙幣が偽造防止対策として磁気インクのみが採用されている紙幣である場合の真偽判別及び計数のフローチャートを示すもので、以下これに基づいて本発明に係る紙幣計数機による真偽判別等の手順を説明する。なお、本発明の実施の形態では、判別原理の異なる複数種類の真偽判別手段の例として、磁気インク検出、蛍光反応検出、スレッド検出、赤外インク検出を採用している。
【００２２】
ところで、本発明における検出出力の有無について、各検出器ごとに定義しておくこととする。
【００２３】
磁気インク検出において、検出出力が有るとは、文字通り磁気成分により出力信号が能動的に検知された場合を指す。
【００２４】
蛍光反応検出において、検出出力が有るとは、紫外線照射光源から紙幣に紫外線が照射されて、紙幣全面からの蛍光反応が受光素子で検知された場合を指す。つまり、紙幣の紙質又は漂白剤に起因する蛍光反応を対象としている。
【００２５】
スレッド検出において、検出出力が有るとは、文字通りスレッドによって引き起こされる静電容量の変化や磁束の変化が能動的に検知された場合を指す。
【００２６】
赤外インク検出において、検出出力が有るとは、赤外線照射光源から照射された赤外線が紙幣に印刷された赤外吸収インクによって赤外線が吸収される結果、受光素子が赤外線を検知しない場合を指す。
【００２７】
最初に図１の紙幣載置部１０に、対象紙幣として、偽造防止対策として磁気インクのみが採用されている紙幣の束が置かれる（ステップS1）。次いで図４で示される判別モード選択手段３２を操作して４つの検出器をすべて選択する（ステップS2）。なお、オート選択モードに設定することにより、電源投入時に自動的にすべての真偽判別手段が選択されるようにしてもよい。この場合は、紙幣の種類によっては不要となる真偽判別手段を判別モード選択手段３２によって無効とするようにしてもよい。図４に示される計数スタートボタン３４を押下すると（ステップS3）、紙幣載置部１０に置かれた紙幣のうち最下層のものが最初の紙幣として判別ブロックへ送られる（ステップS4）。なお、ステップS3において、紙幣載置部１０に紙幣を置くと自動的に計数がスタートするオートスタートモードに設定しておけば、計数スタートボタン３４を押下しなくてもよい。
【００２８】
この場合、偽造防止対策として磁気インクのみが採用されている紙幣であり、赤外線吸収インクも存在しないので、赤外線が照射されても赤外線が吸収されず従って赤外線がそのまま紙幣を透過し、赤外線が検知されるが、前記定義により検出出力無しとして扱われる。判別ブロックの中の磁気検出器のみが出力有りを検出出力し、蛍光検出器／スレッド検出器／赤外検出器は出力無しを検出出力する（ステップS5）。次いでこの出力結果（条件）が判別条件記憶手段１１０に記憶される（ステップS6）。次に、２枚目の紙幣が繰出され判別ブロックへ送られ（ステップS7）、該紙幣についての各検出器毎の検出有無が出力され（ステップS8）、条件合致比較手段１２０によって合致するか否かの比較がされる（ステップS9）。ここで合致すれば、紙幣載置部１０に紙幣が残っていることを条件として（ステップS11）、ステップ７に戻り３枚日の紙幣処理へと移行するが、合致しないと判断されれば制御部へ通知し、通知を受けた制御部は表示部に偽札表示することを指示すると共に搬送手段の停止を指示する（ステップS10）。
【００２９】
以上は対象紙幣を偽造防止対策として磁気インクのみが採用されている紙幣としたときの真偽判別及び計数の流れを説明したものであるが、これ以外の偽造防止対策を施されている紙幣についても同様であることは言うまでもない。
【００３０】
本発明に係る紙幣計数機は、最初に繰出された紙幣の偽造防止対策上の特徴を読みとり、その情報に基づいて真偽判別を自動的に行うように構成されているので、操作者による真偽判別条件の設定を必要とせずに、世界各国の紙幣処理に利用可能である。
【００３１】
特にユーロ圏では、自国紙幣と、共通紙幣であるユーロ紙幣の共存という宿命があるが、本発明による紙幣処理機の採用により、これら種類の異なる紙幣を種類毎に区分して処理するだけで、種類に応じた真偽判別条件の設定をせずに処理することができる。また、複数の外貨紙幣を扱う銀行においても、同様なことが言える。
なお、図２に示すスタッカセンサ８０を紙幣判別条件のリセットに利用することも可能である。すなわち、集積部２０に紙幣がある間は、直前の紙幣判別条件を保持しておき、集積部２０に紙幣が無くなると処理が完了したものと判断して紙幣判別条件をクリアするのである。このようにすることで、紙幣載置部１０に置かれた紙幣の全てが集積部に送られて無くなった場合であって、同一種類の紙幣を更に追加して処理したい場合には、集積部から紙幣を取り出さないことで判別条件を維持できる。
【００３２】
【発明の効果】
以上に示したように、請求項１乃至３の発明によれば、最初に処理される紙幣に対して複数種類の検出器の各々について出力有り／出力無しを検知し、その結果と２枚目以降の紙幣の検出出力との比較を行うことで真偽判別を行うように構成されているので、対象紙幣がいかなる偽造防止対策が講じられていたとしても、操作者による対象紙幣の偽造防止対策毎の真偽判別条件設定が不要となり、操作性が向上する。
【００３３】
請求項４の発明によれば、偽造の疑いのある紙幣を発見した際には搬送を停止させるので、該偽造の疑いのある紙幣と他の紙幣（真券と判別された紙幣）との選別を容易に行うことができる。
【００３４】
請求項５の発明によれば、対象紙幣が１枚しか無くて２枚目以降の紙幣が存在しないがゆえに真偽判定条件の比較ができず、そのため真偽の判定が自動的には行えないときに、操作者に対し、当該唯一の対象紙幣が反応した（つまり、出力があった）検出器の種類を表示により知らせることで真偽判定の便宜を図ることができる。
【００３５】
さらに詳しく言えば、そもそも本発明は、最初に処理される紙幣に基づいて真偽判別条件を自動設定するようにしている。従って、最初に処理される紙幣がたまたま偽造紙幣であった場合には、２枚目以降の真券紙幣が偽造の疑い有りとの判別結果が出されることになる。しかしながら、最初に処理される紙幣により出力のあった検出器の種類を表示により知らせるようにしているので、操作者が対象紙幣についての真偽情報を予め了知していることを条件として、操作者はこの情報により、該最初に処理された紙幣が偽造紙幣であることを知ることが可能となる。
【００３６】
請求項６乃至８の発明は請求項１の発明を簡略化して単一の真偽判別手段として構成した場合のものである。最初の紙幣で該単一の真偽判別手段で出力が検出されれば、２枚目以降の紙幣について同様な出力があれば、真券と判断する。一方最初の紙幣で該単一の真偽判別手段で出力が検出されなければ、２枚目以降の紙幣について出力が検出されたときに該紙幣を偽造券と判断することになるが、むしろ対象紙幣の中に種類の異なる紙幣が混入していた場合の発見に役立てる使い方の応用が考えられる。
【図面の簡単な説明】
【図１】本発明に係る紙幣計数機の実施例の外観図である。
【図２】紙幣計数機の内部構造を示す縦断面図である。
【図３】真偽判別のための検出器の配置等を示すものである。
【図４】操作／表示部の一例を示す図である。
【図５】本発明に係る紙幣計数機の構成を示すブロック図である。
【図６】対象紙幣が偽造防止対策として磁気インクのみが採用されている紙幣である場合の、真偽判別及び計数のフローチャートである。
【符号の説明】
１０    紙幣載置部
２０    集積部
３０    操作／表示部
３１    表示部
３２    判別モード選択手段
３３    ＡＵＴＯ  ＳＴＡＲＴキー
３４    計数スタートボタン（ＲＥＳＴＡＲＴキー）
４０    羽根車
５０    繰出ローラ
６０    搬送ローラ（搬送手段）
７０    真偽判別ブロック
７１    磁気検出器
７２    蛍光検出器
７３    スレッド検出器
７４    赤外検出器
８０    スタッカセンサ
１００    紙幣
１１０  判別条件記憶手段
１２０  条件合致比較手段
【図１】
0004320127.tif 000002
【図２】
0004320127.tif 000003
【図３】
0004320127.tif 000004
【図４】
0004320127.tif 000005
【図５】
0004320127.tif 000006
【図６】
0004320127.tif 000007